(57)【要約】【課題】本発明は、ショッピングカート等の手押し車のハンドルは、把持する際に使用者が必ず目視する部分であるにもかかわらず、何にも表示されていないことに着目し、かかるハンドルに、所定事項を表示した表示具を取り付けることにより、使用者に所定の事項を確実に目視して認識させ得ることを課題とする。【解決手段】ハンドル５に外嵌装着されるグリップ体２６と、該グリップ体２６の表面に貼着され且つ文字や図柄等の所定の表示が施されているラベル２７とを備えてなることにある。【選択図】　　　図１
2004074863.tif 000002
【特許請求の範囲】
【請求項１】
ハンドル（５）に外嵌装着されるグリップ体（２６）と、該グリップ体（２６）の表面に貼着され且つ文字や図柄等の所定の表示（３７）が施されているラベル（２７）とを備えてなることを特徴とする手押し車の表示具。
【請求項２】
前記グリップ体（２６）は、二つ割れとした２個１組の半体（２６ａ），（２６ｂ）から構成され、これら両半体（２６ａ），（２６ｂ）を接合した状態で外側から弾性リング（２８）を嵌めて、両半体（２６ａ），（２６ｂ）が弾性リング（２８）に着脱自在に把持される構成である請求項１に記載の手押し車の表示具。
【請求項３】
前記グリップ体（２６）には、回転を規制するための固定手段（３５ａ）が設けられている請求項１又は２に記載の手押し車の表示具。
【発明の詳細な説明】
【０００１】
【発明の属する技術分野】
本発明は、スーパーマーケット等の販売店で使用されるショッピングカート等の手押し車のハンドルに取り付けられる手押し車の表示具に関する。
【０００２】
【従来の技術】
従来、ショッピングカートは、商品を荷物収容部に収容して保持すべく、スーパーマーケット等で頻繁に使用されている。使用者は、通常かかるショッピングカートのハンドルを把持し、ショッピングカートを手で押しながら買い物を行っている場合が多い。
また、ショッピングカートによっては、荷物収容部の後面部に、幼児用の折り畳み座椅子を備えたものもある。
【０００３】
【発明が解決しようとする課題】
スーパー等の販売店では、商品の宣伝広告を目的とした情報を確実に消費者に知らせたい場合がある。かかる場合には、消費者（ショッピングカートの使用者）に広告チラシを店頭で配布したり、または、店内の所定の場所に宣伝広告の表示を行ったりしている。
広告チラシを配布場合には、その広告チラシを片手で持たなければならないことから、ショッピングカートを押している使用者は、広告チラシを受け取っても常に目視し易い状態を維持できるものではない。また、店内の所定の場所に宣伝広告の表示を行う場合には、宣伝広告の表示場所が特定されるため、ショッピングカートを使用する全ての使用者が、宣伝広告等の表示を確実に目視するとは限らず、買い物に集中するあまり、宣伝広告等の表示を全く目視しない場合もある。
【０００４】
また、使用者が、ショッピングカートの折り畳み座椅子に幼児を着座させる場合には、幼児の安全性を確保する目的から、使用者にショッピングカートの使用上の注意を知らせるのが望ましい。
【０００５】
本発明は、ショッピングカート等の手押し車のハンドルは、把持する際に使用者が必ず目視する部分であるにもかかわらず、何にも表示されていないことに着目し、かかるハンドルに、所定事項を表示した表示具を取り付けることにより、使用者に所定の事項を確実に目視して認識させ得ることを課題とする。
【０００６】
【課題を解決するための手段】
本発明が前記課題を解決するために講じた技術的手段は、ハンドル５に外嵌装着されるグリップ体２６と、該グリップ体２６の表面に貼着され且つ文字や図柄等の所定の表示が施されているラベル２７とを備えてなることにある。
【０００７】
そして、ラベル２７は、使用者が必ず目視するハンドル５に外嵌装着されたグリップ体２６に設けているので、使用者は所定の表示を確実に目視することができる。
【０００８】
しかも、グリップ体２６は、二つ割れとした２個１組の半体２６ａ，２６ｂから構成され、これら両半体２６ａ，２６ｂを接合した状態で外側から弾性リング２８を嵌めて、両半体２６ａ，２６ｂが弾性リング２８に着脱自在に把持される構成である場合には、グリップ体２６を取り外すことが可能となり、グリップ体２６及びラベル２７が破損したり、あるいは、新しい表示内容と交換する場合に、容易に取り替えることができる。
【０００９】
前記グリップ体２６には、回転を規制するための固定手段３５ａが設けられているのが好ましい。かかる場合には、所定の表示を常時目視し易い位置に固定させておくことができる。
【００１０】
【発明の実施の形態】
以下、本発明に係る手押し車の表示具の一実施形態について説明する。図１〜図６は、本発明の一実施の形態としてショッピングカートを示し、図１において、１は台車本体を示し、該台車本体１は、キャスター２，２を有する一組の支柱３，３の上端に直線状のハンドル５が設けられ、且つ該支柱３，３の下方には、キャスター６，６を有する下部フレーム７が前方に向けて固着されている。前記支柱３，３とハンドル５とは、例えば、一本のパイプを略コ字状に折り曲げて一体的に形成されている。
【００１１】
下部フレーム７上には、商品等の荷物を直接入れて保持するか又は、商品等の荷物入れたバスケットを保持可能とすべく、後面枠７ａ、両側面枠７ｂ及び前面枠７ｃが設けられている。
【００１２】
前記支柱３，３の上方には、荷物保持部（収容部）１０が前方に向けて設けられている。荷物保持部１０は、該荷物保持部１０内に商品等の荷物を直接入れたり、別体のバスケット（図示省略）に荷物を入れて該バスケットを収容保持したりできるもので、底面部１２と、一対の側面部１４，１４と、前面部１５と、前後方向に回動自在な後面部１１とを備えている。
前記底面部１２、側面部１４，　１４及び前面部１５は線材を用いて一体的に形成されている。また、後面部１１を前方に押し上げて、荷物保持部１０内に後方側の別のショッピングカートの荷物保持部１０を挿入させることにより、複数のショッピングカートを重ね合わすことができるようになっている。
【００１３】
尚、図示した後面部１１は、幼児用の折り畳み座椅子が設けられていない形態に係るものであるが、必要に応じて該幼児用の折り畳み座椅子を後面部１１に出退自在（使用時に出し、且つ不使用時には折り畳んで後面部１１の一部とすることができるよう）に設けてもよい。また、例えば、支柱３の後方側に幼児用の折り畳み座椅子を固定的に又は出退自在に設けてもよい。
【００１４】
図１に示すように、直線状のハンドル５の略全長にわたって表示具２５が外嵌装着されている。かかる表示具２５は、図２〜図５に示す如く、筒状のグリップ体２６と、ラベル（シート状の表示部材）２７とから構成されている。グリップ体２６は、互いの接合時にパイプ状となる、二つ割れとした２個１組の半体２６ａ，２６ｂから構成され、これら両半体２６ａ，２６ｂを接合した状態で外側から弾性リング２８を嵌めて、両半体２６ａ，２６ｂが弾性リング２４に把持されるようにしたものである。
【００１５】
一方の半体２６ａは、図３（イ），（ロ），（ハ）に示す如く、断面がパイプ状の半分となっており、長手方向の両端部には凸部２９が半体２６ａの長手方向に沿って形成されている。また、一方の半体２６ａには、複数の窪部３０ａ，３０ｂが形成されている。各窪部３０ａ，３０ｂは、一方の半体２６ａの中央部とその両側に設けられているが、全周にわたって設けられておらず、一方の半体２６ａの周方向の中央部には、窪部３０ａ，３０ｂの設けられていない残存部分３１が残されている。該残存部分３１付近の窪部３０ａ，３０ｂの各端には、貫通孔３０ｃ、３０ｃがそれぞれ形成されている。また、中央側の窪部３０ａと両端側の窪部３０ｂとの間には、中央部よりも若干小径となった貼着部３１が形成されている。
【００１６】
他方の半体２６ｂは、図４（イ），（ロ），（ハ）に示す如く、断面がパイプ状の半分となっており、長手方向の両端部には、一方の半体２６ａの凸部２９が嵌入される凹部３２が形成されている。また、他方の半体２６ｂには、前記一方の半体２６ａと対応する位置の外周に窪部３３ａ，３３ｂが形成されている。また、中央側の窪部３３ａと両端側の窪部３３ｂとの間には、中央部よりも若干小径となった貼着部３５が形成されている。
【００１７】
各貼着部３５の内面には、図５（ロ）に示す如く、前記ハンドル５に形成された通孔５ａに嵌入される固定手段としての突起３５ａが、単数または複数突設されている。従って、各突起３５ａが通孔５ａにそれぞれ嵌入されるため、グリップ体２６の回転が規制されており、突起３５ａが回転止めの機能を備えている。
【００１８】
弾性リング２８は、図２及び図５（イ）に示すように、両方の半体２６ａ，２６ｂを固定すべく、各窪部３０ａ，３０ｂ，３３ａ，３３ｂにそれぞれ嵌合されるもので、合成樹脂等の弾力性を有する材料から略Ｃ字状に形成されている。前記弾性リング４の両端には、前記一方の半体２６ａの貫通孔３０ａ、３０ａに係脱自在に嵌合する係止突起３４，３４がそれぞれ形成されている。尚、３４ａは、各係止突起３４，３４の内周側に形成された小窪部である。
【００１９】
前記ラベル２７は、図５（ロ）及び図６に示す如く、例えば、ラベル基材に、注意書きや商品広告等の文字や図柄等からなる所定の表示３７が印刷されたものである。具体的には、所定の表示３７とは、ショッピングカートであれば、そのショッピングカートを所有する販売店の商品広告や、また、ショッピングカートが幼児用の折り畳み座椅子を備えている場合には、その椅子を使用する際の注意事項が挙げられる。ラベル２７は、その裏面に粘着層（図示省略）を有し、且つ矩形状を呈し、両方の半体２６ａ，２６ｂの貼着部３１，３５の略全周にわたって貼着されている。
【００２０】
ラベル基材の材質は、特に限定されるものではないが、プラスチックシートや紙製シートに合成樹脂がコーティングされたもの等が挙げられる。前記ラベル２７は、グリップ体２６の貼着部３１，３５に貼着された際に、図２に示す如く、他の部分２６ｃよりも突出することはなく、しかも、若干小径の貼着部３１，３５に貼着されていることから、ラベル２７が移動してしまうことはない。
ラベル２７は、図４に示す如く、グリップ体２６に貼着される前には一対（２枚）が一組として、離型紙３８に貼着されており、各ラベル２７を離型紙３８から剥離した後に、ハンドル５に予め装着されているグリップ体２６の貼着部３１，３５に貼着する。
【００２１】
前記構成からなる表示具２５をショッピングカートに使用する場合、ハンドル５は使用者が把持する部分であることから、確実に目視する部分であり、かかるハンドル５に表示具２５を設けることにより、使用者に所定の表示３７を目視させてその内容を確実に知らせることができるのである。特に、ショッピングカートが幼児用の折り畳み座椅子を備えている場合には、その使用説明を確実に使用者に読ませることができ、安全面においても非常に効果的である。
【００２２】
また、期間限定等のラベル２７をグリップ体２６に貼着した場合には、ラベル２７はグリップ体２６から剥がして、新しい別のラベル２７を貼着することも可能である。
【００２３】
前記グリップ体２６をハンドル５から取り外すには、ラベル２７を剥離した後に、弾性リング２８の一端と一方の半体２６ａとの間に、マイナスのドライバー等の先端を入れて、一方の係止突起３４の小窪部３４ａが狭くなるように、該係止突起３４を弾性変形させると、その係止突起３４が、貫通孔３０ｃから外れる。そして、他方の係止突起３４も貫通孔３０ｃから外せば、弾性リング２８をグリップ体２６から外すことができる。以下、同様に他の弾性リング２８を取り外す。
その後、両半体２６ａ，２６ｂ同士を分割してハンドル５から取り外すことができる。
【００２４】
また、反対に両半体２６ａ，２６ｂを接合して、弾性リング２８を嵌めれば、ハンドル５にグリップ体２６を簡単に取り付けることができ、その後に、グリップ体２６の貼着部３１，３５に、離型紙３８から剥離したラベル２７を貼着する。
【００２５】
本発明は、前記の実施の形態に限定されるものではなく、手押し車は、ショッピングカート以外に、荷物用カート及びベビーカ等であっても良い。また、ラベル２７の形状や大きさは、特に限定されるものではなく、一枚又は複数枚のラベルをグリップ体２６の長手方向の全長にわたって、または、一部に設けるようにしても良い。しかも、ラベルはグリップ体２６の周方向の全長であっても一部でも良い。
【００２６】
また、ラベル２７は、その裏面に粘着層を設けたもの以外に、グリップ体２６に前記弾性リングと同様の形状をした係合部を設け、該係合部によりラベルを保持するようにしても良い。
【００２７】
【発明の効果】
以上のように本発明は、ハンドルに外嵌装着されるグリップ体と、該グリップ体の表面に貼着され且つ文字や図柄等の所定の表示が施されているラベルとを備えているので、使用者は、その表示内容を確実且つ容易に目視することができ、宣伝広告機能や警告等の注意表示機能を備えることができる。
【００２８】
しかも、グリップ体は、二つ割れとした２個１組の半体から構成され、これら両半体を接合した状態で外側から弾性リングを嵌めて、両半体が弾性リングに着脱自在に把持される構成である場合には、グリップ体を取り外すことが可能となり、グリップ体及びラベルが破損したり、あるいは、新しい表示内容と交換する場合に、容易に取り替えることができる利点がある。
【００２９】
前記グリップ体には、回転を規制するための固定手段が設けられている場合には、所定の表示を目視し易い位置に固定させておくことができる。
【図面の簡単な説明】
【図１】本発明の一実施の形態を示す一部破断を含む全体斜視図である。
【図２】同一表示具の平面図である。
【図３】同一方の半体を示し、（イ）は一部破断を含む平面図、（ロ）は一部破断を含む正面図、（ハ）は一部破断を含む底面図である。
【図４】同他方の半体を示し、（イ）は一部破断を含む平面図、（ロ）は一部破断を含む正面図、（ハ）は一部破断を含む底面図である。
【図５】（イ）は図２のＸ−Ｘ線矢視断面図、（ロ）は図２のＹ−Ｙ線矢視断面図である。
【図６】ラベルを離型紙に貼着した状態の平面図である。
【符号の説明】
５…ハンドル、２６…グリップ体、２６ａ…一方の半体、２６ｂ…他方の半体、２８…弾性リング、３５ａ…突起（固定手段）、３７…所定の表示
【図１】
2004074863.tif 000003
【図２】
2004074863.tif 000004
【図３】
2004074863.tif 000005
【図４】
2004074863.tif 000006
【図５】
2004074863.tif 000007
【図６】
2004074863.tif 000008